(57)【要約】【課題】すっきりとした外観形状を呈し、見栄え性の良好な洗面カウンターを提供する。【解決手段】ボウル部４の後方に上方へ立ち上げた立上壁５を有する洗面カウンター３であって、立上壁５は洗面カウンター３と一体で構成され、上方へ向けて立ち上がるにつれてボウル部４側へ傾斜しているとともに、立上壁５には自動水栓の吐水部が取り付けられ、立上壁５の上端から後方に向けて天板６が設けられ、天板６および立上壁５に囲まれた空間Ｓ内には自動水栓の機能部材１８が収納されている。【選択図】図１４
2010187784.tif 000002
【特許請求の範囲】
【請求項１】
ボウル部の後方に上方へ立ち上げた立上壁を有する洗面カウンターであって、
前記立上壁は洗面カウンターと一体で構成され、上方へ向けて立ち上がるにつれて前記ボウル部側へ傾斜しているとともに、
該立上壁には自動水栓の吐水部が取り付けられてなり、
該立上壁の上端部から後方に向けて天板が設けられ、該天板および前記立上壁に囲まれた空間内には自動水栓の機能部材が収納されている
ことを特徴とする洗面カウンター。
【請求項２】
前記天板の前端縁が、前記立上壁の上端部よりも前記ボウル部側へ突出していることを特徴とする請求項１に記載の洗面カウンター。
【請求項３】
前記天板の前端縁の一部に後方側へ向かって切り欠いた切欠形状部が形成されていることを特徴とする請求項２に記載の洗面カウンター。
【請求項４】
前記天板が着脱可能に構成されている請求項１または請求項２または請求項３に記載の洗面カウンター。
【請求項５】
前記ボウル部は洗面カウンターと一体成形されているとともに、該洗面カウンターと前記立上壁との繋ぎ目はアール状に形成されていることを特徴とする請求項１または請求項２または請求項３または請求項４に記載の洗面カウンター。
【発明の詳細な説明】
【技術分野】
【０００１】
本発明は、ボウル部の後方に上方へ立ち上げた立上壁を有する洗面カウンターに関するものである。
【背景技術】
【０００２】
従来、この種の手洗い装置として、特許文献１に開示されているような構造のものが存在する。この手洗い装置では、ボウル部とバックガード部が一体で成形され、バックガード部をボウル部側へ膨出させて、この部分に吐水口部を設けた構造となっている。
また、特許文献２に開示されているような構造のものも存在する。この装置では、手洗器の後方上面側に別体の機能部ユニットを設け、機能部ユニットの上蓋の内側空間に制御基盤を収納した構造となっている。
【先行技術文献】
【特許文献】
【０００３】
【特許文献１】特開２００２−３４５６６２号公報
【特許文献２】特開２００６−２５５２２６号公報
【発明の概要】
【発明が解決しようとする課題】
【０００４】
上記特許文献１に開示されている手洗い装置の構造では、バックガード部はボウル部と一体となっているが、この手洗い装置は洗面カウンターとは別体のものであり、洗面カウンター上に、このようなボウル部と立上壁を一体化した手洗い装置を間隔をおいて連立状に設置すると、連続感がなく、また、洗面カウンターとボウル部等は別体であるため、見栄えが悪いものとなり、さらに、天板が存在しないために、物が置けず、使いづらいという問題点があった。
【０００５】
また、上記特許文献２に開示されている構造では、手洗器と機能部ユニットは別体であり、素材が多く、汚れが付きやすく、しかも、別体の洗面カウンター上にこのような手洗い装置を連立させると、見栄えが悪く、デザイン上好ましくないという問題点があった。
【課題を解決するための手段】
【０００６】
本発明は、見栄えの良好なすっきりとしたデザインを呈し、物が置きやすく使用勝手が良好な洗面カウンターの提供を目的とし、この目的の少なくとも一部を達成するために以下の手段を採った。
本発明は、ボウル部の後方に上方へ立ち上げた立上壁を有する洗面カウンターであって、前記立上壁は洗面カウンターと一体で構成され、上方へ向けて立ち上がるにつれて前記ボウル部側へ傾斜しているとともに、該立上壁には自動水栓の吐水部が取り付けられてなり、該立上壁の上端部から後方に向けて天板が設けられ、該天板および前記立上壁に囲まれた空間内には自動水栓の機能部材が収納されていることを要旨とする。
【発明の効果】
【０００７】
本発明の洗面カウンターでは、立上壁は洗面カウンターと一体で構成されているため、素材が少なく、一体感が得られて見栄えが良好なすっきりとした状態を得ることができ、また、立上壁はボウル部側へ上傾して、この部分に自動水栓の吐水部のみが取り付けられているが、吐水部は小さい部材で済み、大きく突出することなく、使用者から視てほぼ隠れた状態となり、見栄えの良いものとなる。また、立上壁と天板に囲まれた空間内に自動水栓の機能部材を良好に収納することができ、天板上は荷物置きとして有効に利用することができるものとなる。
【０００８】
また、本発明の洗面カウンターにおいて、天板の前端縁が、立上壁の上端部よりもボウル部側へ突出している構成とすることもできる。
こうすれば、天板の奥行寸法が大となり、天板上に物が置きやすく、また、天板上には吐水部からの水跳ねがなく天板上に置いた荷物や小物を濡らすことがない。さらに、吐水部をより隠れた状態として、目立たなく見栄え良くできる。
【０００９】
また、本発明の洗面カウンターにおいて、天板の前端縁の一部に後方側へ向かって切り欠いた切欠形状部が形成されている構成とすることもできる。
こうすれば、天板の奥行寸法を一部で大きく確保して、荷物置きとして天板を有効利用できるとともに、天板により自動水栓の吐水部が必要以上に隠れて見えにくくなるのを切欠形状部で防ぐことができ、この切欠形状部を通して使用時に使用者は自動水栓の吐水部の位置を良好に視認することができるものとなる。
【００１０】
また、本発明の洗面カウンターにおいて、天板が着脱可能に構成されているものとすることもできる。
こうすれば、設置後に天板を取り外して自動水栓の機能部材のメンテナンス等が可能となる。
【００１１】
また、本発明の洗面カウンターにおいて、ボウル部は洗面カウンターと一体成形されているとともに、洗面カウンターと立上壁との繋ぎ目はアール状に形成されているものとすることもできる。
こうすれば、洗面カウンターとボウル部が一体的ですっきりとしたデザインとなり、洗面カウンターから立ち上がる立上壁の繋ぎ目はアール状をなし、隙間がなく見栄えが良いものとなり、また、この繋ぎ目部分には水垢やカビの付着が少なく、立上壁を掃除しやすいものとなる。
【図面の簡単な説明】
【００１２】
【図１】洗面台の正面外観構成図である。
【図２】２３０ｍｍ程度の奥行幅を有する天板を設けた洗面台の平面構成図である。
【図３】切欠形状部を前端に有する天板を設けた洗面台の平面構成図である。
【図４】切欠形状部を前端に有する天板の斜視構成図である。
【図５】１９０ｍｍ程度の奥行幅を有する天板を設けた洗面台の平面構成図である。
【図６】洗面カウンターの周辺構成部材の拡大分解側面構成図である。
【図７】洗面カウンターの構成部材の正面側から視た分解図である。
【図８】立上壁に側壁が設けられている洗面カウンターの正面構成図である。
【図９】洗面カウンターの空間上面に防水カバーを取り付ける前の平面分解構成図である。
【図１０】洗面カウンターの構成部材の分解斜視構成図である。
【図１１】洗面カウンターの空間上面に防水カバーを取り付ける前の要部拡大斜視図である。
【図１２】洗面台のキャビネット内部に配置される構成部材の正面配置構成図である。
【図１３】キャビネットを構成するユニットフレームの斜視構成図である。
【図１４】キャビネット内に配置された排水トラップの側面配置構成図である。
【図１５】キャビネット内に配置された石鹸液タンクの側面配置構成図である。
【図１６】キャビネット内に配置された電気温水器の側面配置構成図である。
【発明を実施するための形態】
【００１３】
次に、本発明を実施するための形態を実施例を用いて説明する。
図１は、ボウル部を２個有する二連式の洗面台の正面外観構成図である。
洗面台１は、キャビネット２上に洗面カウンター３が設置されて構成されている。
洗面カウンター３の立上壁５には、各ボウル部４毎に、石鹸液の吐出口７と自動水栓の吐水口８が設けられており、吐出口７および吐水口８の上方にはそれぞれセンサー感知部９，９が配置されている。また、立上壁５の上面側には天板６が覆設されている。
なお、キャビネット２の前面には、開閉可能に上部前扉１０が設けられており、その下方には下部前板１１が設けられ、下端側には幅木１２が設けられている。
【００１４】
図２は、洗面カウンター３の平面構成図であり、図２では天板６の奥行幅ａが２３０ｍｍ程度のものを示している。
なお、樹脂製（例えばアクリル系人造大理石製）の洗面カウンター３にはボウル部４，４が一体成形され、この洗面カウンター３の後方側に上方へ立ち上げて立上壁５が一体化されて、立上壁５の上端から後方に向けて天板６が設けられており、立上壁５および天板６も洗面カウンター３と同様の樹脂製で形成されている。
図２では、天板６の奥行寸法ａが２３０ｍｍ程度と広いために、天板６の前端縁が立上壁５の上端部よりもボウル部４側へ突出して、天板６上に物が置きやすく、また、天板６上には吐水部８等からの水跳ねがなく、天板６上に置いた荷物や小物を濡らすことがない。
【００１５】
図２では、洗面台１の前に立った使用者から視た場合、天板６により石鹸液の吐出口７および自動水栓の吐水口８が隠れた状態となり、突出部がなく極めてすっきりとした外観形状となるように設定されている。
なお、天板６の上面前端側に、石鹸液の吐出口７および自動水栓の吐水口８の位置を示すピクト１３（印刷或いはシール或いは照明ランプ等による）を設けても良い。これにより、石鹸液の吐出口７および自動水栓の吐水口８の位置を使用者が認識し易くなり、ピクト１３の位置の下方に手を差し出すと、センサー感知部９が手を感知し、吐水口８から吐水させることができ、又は、石鹸液の吐出口７からムース状の石鹸液を吐出させることができる。
【００１６】
次に、図３の平面図で示す洗面カウンター３は、天板６の前端縁のボウル部４，４の位置に、後方側へ向けて湾曲状に切り欠いた切欠形状部６ｂ，６ｂを形成させたものである。
なお、図４は、切欠形状部６ｂ，６ｂを前端縁に有する天板６の斜視構成図である。
この切欠形状部６ｂの部分の天板６の奥行寸法ｂは１９０ｍｍ程度に設定されており、天板６の左右端側と中央部の奥行寸法ａは２３０ｍｍ程度に設定されている。
このように切欠形状部６ｂを形成させた天板６を用いた場合は、石鹸液の吐出口７および自動水栓の吐水口８の先端を洗面台１の前に立った使用者から視認できるため、必要以上に吐出口７，吐水口８が見えにくくなるのが防がれ、良好に吐出口７或いは吐水口８の位置に手を差し出して使用できる。本例においても、図２のようなピクト１３を設けても良い。
なお、天板６の左右端側および中央部の奥行寸法ａは２３０ｍｍ程度と広いために、この部分には大きな荷物等を安定して置くことができる。
【００１７】
また、図５の平面図で示す洗面カウンター３は、天板６の奥行寸法ｂを１９０ｍｍ程度に設定したものである。この図５のタイプでは、荷物等を置く幅は狭くなるが、吐出口７および吐水口８の先端を洗面台１の前に立った使用者から視認できるため、吐出口７および吐水口８の位置を良好に確認して使用することができ、また、天板６の後方の壁面に立設される鏡に顔を近づけやすいものとなる。
なお、図中４ａは各ボウル部４の底面に開口されている排水口である。
【００１８】
図６は、洗面カウンター３の周辺構成部材の拡大分解側面構成図である。また、図７は、洗面カウンター３の構成部材の正面分解構成図である。また、図８は、洗面カウンターの１個のボウル部を正面側から視た構成図であり、また、図９は、防水カバー２２を取り付ける前の平面構成図である。さらに、図１０は、洗面カウンター３の構成部材の分解斜視構成図であり、図１１は、洗面カウンター３の空間Ｓ上面に防水カバー２２を取り付ける前の要部拡大斜視図である。
【００１９】
前述した如く、洗面カウンター３には一体状にボウル部４が形成されており、また、洗面カウンター３のボウル部４の後部には、上方へ立ち上がるにつれてボウル部４側へ傾斜状に立上壁５が一体化されており、立上壁５と洗面カウンター３の繋ぎ目は、掃除がしやすいようにアール形状のアール部５ａとなっている。
また、洗面カウンター３の後端部には背板１４が立設されており、この背板１４は洗面カウンター３に一体化させたものであっても、また、別体で形成したものであっても良い。
【００２０】
また、立上壁５から後方側へ延びる側壁１５，１５が各ボウル部４の左右側に設けられており、この左右の側壁１５，１５と立上壁５と背板１４で囲まれて空間Ｓが形成されている。なお、左右の側壁１５，１５は洗面カウンター３に一体化させて形成しても良い。
左右の側壁１５，１５の各上端側には、外側へ略水平に突出して取付部１６，１６が形成されており、各取付部１６には、前後方向に間隔をおいて３個のビス孔１６ａ，１６ａ，１６ａが形成されている。
【００２１】
なお、立上壁５には、石鹸液の吐出口７を取り付ける石鹸吐出口孔５ｂと、自動水栓の吐水口８を取り付ける吐水口孔５ｃが形成されており、各孔５ｂ，５ｃの上方に、センサー感知部９，９を取り付ける開口窓５ｄ，５ｅが形成されている。
洗面カウンター３の空間Ｓの底側には上下に貫通した貫通孔３ｂが形成されており、この貫通孔３ｂ内に給水供給管２０或いは石鹸液ホース１９等を通すことができる。
また、図６および図８に示すように、各ボウル部４の左右端側の洗面カウンター３の下面には、補強木１７，１７がそれぞれ貼り付けて設けられている。補強木１７，１７は、洗面カウンター３の前端側の前端垂下部３ａで隠されるものである。
【００２２】
洗面カウンター３の前記空間Ｓ内には、図９の平面図で示すように、自動水栓の機能部材である制御基盤１８を斜めにして効率よく収納することができ、また、空間Ｓ内には、貫通孔３ｂを通し下方のキャビネット２側から給水供給管２０或いは石鹸液ホース１９等を引き込んで収納させることができるものである。
空間Ｓを密閉するために、上方側から防水カバー２２が覆設されるが、立上壁５，背板１４，左右の側壁１５，１５の上端に予めシール材２１を貼り付けて防水性を確保する。
【００２３】
防水カバー２２はステンレス製等の腐食しにくい材料としており、前端縁および後端縁には、垂下状に折り曲げて折曲部２２ａ，２２ｂが形成されている。また、防水カバー２２の左右端側には、Ｌ字状に折り曲げて固定片２３，２３が形成されており、左右の各固定片２３，２３には、前後方向に間隔をおいて３個のビス孔２３ａ，２３ａ，２３ａが形成されている。
この防水カバー２２の左右の固定片２３，２３を、左右の側壁１５，１５の取付部１６，１６上に整合させ、この状態で上方側からビス２５をそれぞれビス孔２３ａ，１６ａ内にねじ込んで、防水カバー２２の固定片２３，２３を取付部１６，１６に固定し、防水カバー２２を空間Ｓの上面にシール材２１を介在させて密閉状態に覆設することができる。
【００２４】
これにより、シール材２１により防水性が確保され、空間Ｓ内部への水の侵入等が確実に防がれるものとなる。また、防水カバー２２はビス２５を介して固定されるため、工具を用いないと防水カバー２２を取り外すことはできないために、悪戯で空間Ｓが開放されることが良好に防がれるものとなる。また、上方からの荷重に対し強度を確保できるものとなる。
【００２５】
なお、防水カバー２２の前端縁および後端縁には、それぞれ垂下状に折曲部２２ａ，２２ｂが形成されているため、防水カバー２２の取付状態では、前端側の折曲部２２ａが立上壁５の上端側前面に当接状態となり、また、後端側の折曲部２２ｂは背板１４の上端裏面にほぼ当接状態となり、取り付け時の位置決めが容易となり、また、良好に空間Ｓの防水性が確保される。
【００２６】
この防水カバー２２の上面には面ファスナー２４，２４を貼り付けておき、また、天板６の裏面にも面ファスナー２４，２４を貼り付けておき、面ファスナー２４，２４を介して防水カバー２２の上面に着脱可能に天板６を取り付けできるものである。
なお、天板６の取付状態では、天板６の前端縁が、立上壁５の上端部よりもボウル部４側へ突出し、天板６の前端側の前端垂下部６ａが防水カバー２２の前端の折曲部２２ａの前面を覆い、立上壁５の上端と防水カバー２２の前端の折曲部２２ａが良好に隠蔽されて、すっきりとした設置状態が得られるものである。
なお、天板６および防水カバー２２を取り外すことにより、空間Ｓ内に収納されている制御基盤１８等のメンテナンスを良好に行うことができる。
【００２７】
なお、本例では、ビス２５を介して防水カバー２２の固定片２３を取付部１６に固定する構成としているが、取付部１６のビス孔１６ａの位置に雌ネジを埋設等しておき、この雌ネジに対し上方側からネジを締め付けて防水カバー２２を固定できるように構成しても良い。
このようにビス２５或いはネジを上方側から締め付けて防水カバー２２を固定できるため、洗面カウンター３の左右端側に壁面が存在するような場合でも、良好に上方側からビス２５等の締め付け作業を行えるものである。
このように防水カバー２２を固定することで強度を確保することができ、上方からの荷重に対し天板６の破壊等を防げるものとなる。
【００２８】
キャビネット２を構成するユニットフレーム２６は、図１２，図１３，図１４，図１５，図１６に示すような構造となっている。
このユニットフレーム２６は、前面側に、縦方向の３本の縦材２６ａ，２６ａ，２６ａが間隔をおいて設けられ、縦材２６ａ，２６ａ，２６ａ間は上端の上横材２６ｃと下端の下横材２６ｄで連結されている。この下横材２６ｄから後方側へ略水平に複数の段材２６ｈ，２６ｈ，２６ｈが間隔をおいて設けられ、複数の段材２６ｈ，２６ｈ，２６ｈの後端側は後横材２６ｉで連結されている。この後横材２６ｉから垂下状に複数の底縦材２６ｅ，２６ｅ，２６ｅが間隔をおいて設けられ、複数の底縦材２６ｅの下端は横方向の底横材２６ｆで連結されている。また、後横材２６ｉから門形状に後縦材２６ｂ，２６ｂが立設され、複数の底縦材２６ｅ，２６ｅ，２６ｅの前面側には上下二枚の桟木２６ｇ，２６ｇが横設されている。
【００２９】
また、前面側の３本の縦材２６ａ，２６ａ，２６ａの上端側の上横材２６ｃ上には、上方へ立ち上げて連結立片２８，２８，２８がそれぞれ設けられており、この各連結立片２８の上端に、カウンター支持部２９の前端の長孔２９ａを整合させて、ボルトで各連結立片２８の上端にカウンター支持部２９の前端を連結できるように構成されている。各カウンター支持部２９はＬ字状断面に形成されており、その後端は、壁面に横設固定されるブラケット３０に溶接により連結されている。
【００３０】
左右方向に間隔をおいて３個所に配置された連結立片２８，２８，２８の上端にカウンター支持部２９をそれぞれボルトで取り付け、各カウンター支持部２９に、図６に示すように下方側よりビス３１を通して、洗面カウンター３の底面に貼り付け固定されている補強木１７にビス３１を締め付け、ビス３１により下方側からユニットフレーム２６に対し洗面カウンター３を固定することができるものである。
【００３１】
ユニットフレーム２６の上横材２６ｃ，下横材２６ｄの前面には、開閉可能に上部前扉１０が蝶番を介して取り付けられるものであり、また、ユニットフレーム２６の桟木２６ｇ，２６ｇの前面には下部前板１１が取り付けられるものであり、底横材２６ｆの前面には幅木１２が取り付けられるものである。
なお、床横材２６ｆには、ユニットフレーム２６の高さ調整用に高さ調節ボルト２７が設けられている。
【００３２】
このユニットフレーム２６内には、底縦材２６ｅ，２６ｅ，２６ｅに金具を介し排水管３５が横方向に配管される。
なお、ユニットフレーム２６の奥の壁面には、配管固定材３２を介して通気管３３と給水管３４がそれぞれ横方向に配管されるものであり、キャビネット２内の各ボウル部４の下方には、それぞれ排水トラップ３６と電気温水器３７と石鹸液タンク４３が配置されるものである。
この配置状態の正面図は図１２に示し、図１４では排水トラップの配管状態の側面構成を、また図１５では石鹸液タンクの配置状態の側面構成を、また図１６では電気温水器の配置状態の側面構成を示す。
【００３３】
洗面カウンター３に一体成形されているボウル部４の底面の排水口４ａには、垂下状に排水トラップ３６が接続され、この排水トラップ３６の下端は排水管３５に連通接続される。
また、ユニットフレーム２６内に横方向に配管されている給水管３４には止水栓３８を介して接続管３９が接続され、接続管３９は止水栓４０を介して電気温水器３７の給水側が接続される。また、電気温水器３７の出湯側には自動水栓の機能部４２が接続され、この機能部４２から給水供給管２０が前記洗面カウンター３の空間Ｓ内に引き上げられて、給水供給管２０の先端に自動水栓の吐水口８が接続される。
また、電気温水器３７には膨張水排水装置４１が設けられ、電気温水器３７からの膨張水が膨張水排水口４１ａから排水されるように構成されている。
従って、給水管３４から接続管３９を通り電気温水器３７内に供給された水は内部で温水に変えられ、温水は自動水栓の機能部４２から給水供給管２０を通り吐水口８から吐水される。
【００３４】
また、石鹸液を入れた石鹸液タンク４３には、ポンプ４４と機能部４５が設けられており、この石鹸液タンク４３は、ユニットフレーム２６の段材２６ｈ上に底板４７を敷設し、この上にタンク固定部材４６を介在させて設置されるものであり、ポンプ４４から石鹸液ホース１９が洗面カウンター３の空間Ｓ内に引き上げられ、また、エアホース４８が空間Ｓ内に引き上げられており、石鹸液ホース１９およびエアホース４８が石鹸液の吐出口７に接続される。
従って、センサー感知部９が使用者の手を感知するとポンプ４４が作動することにより、石鹸液タンク４３内の石鹸液が石鹸液ホース１９を通り石鹸吐出口７から吐出され、この時にエアホース４８からエアが供給されて、エアを含んだムース状の石鹸液が石鹸液の吐出口７から吐出される。
【００３５】
なお、洗面カウンター３の空間Ｓ内に斜めにして効率よく収納されている制御基盤１８から、貫通孔３ｂを通って伸びるハーネス４９，４９の先端のコネクター４９ａ，４９ａが、前記機能部４２および機能部４５にそれぞれ接続され、制御基盤１８の上端前面のセンサー感知部９が人の手を感知することで、機能部４２或いは機能部４５に駆動信号が出力され、これにより吐水口８からの吐水或いは吐出口７からの石鹸液の吐出が行われる。
【符号の説明】
【００３６】
１  洗面台
２  キャビネット
３  洗面カウンター
３ｂ  貫通孔
４  ボウル部
４ａ  排水口
５  立上壁
５ａ  アール部
５ｂ  石鹸吐出口孔
５ｃ  吐水口孔
５ｄ，５ｅ  センサー窓
６  天板
６ａ  前端垂下部
６ｂ  切欠形状部
７  石鹸液の吐出口
８  自動水栓の吐水口
９  センサー感知部
１０  上部前扉
１１  下部前板
１４  背板
１５  側壁
１６  取付部
１６ａ  ビス孔
１７  補強木
１８  制御基盤
１９  石鹸液ホース
２０  給水供給管
２１  シール材
２２  防水カバー
２２ａ，２２ｂ  折曲部
２３  固定片
２３ａ  ビス孔
２４  面ファスナー
２５，３１  ビス
２６  ユニットフレーム
２６ａ  縦材
２６ｈ  段材
２８  連結立片
２９  カウンター支持部
３０  ブラケット
３２  配管固定材
３４  給水管
３５  排水管
３６  排水トラップ
３７  電気温水器
３８，４０  止水栓
４１ａ  膨張水排水口
４２  自動水栓の機能部
４３  石鹸液タンク
４４  ポンプ部
４５  機能部
４８  エアホース
４９  ハーネス
Ｓ  空間
【図１】
2010187784.tif 000003
【図２】
2010187784.tif 000004
【図３】
2010187784.tif 000005
【図４】
2010187784.tif 000006
【図５】
2010187784.tif 000007
【図６】
2010187784.tif 000008
【図７】
2010187784.tif 000009
【図８】
2010187784.tif 000010
【図９】
2010187784.tif 000011
【図１０】
2010187784.tif 000012
【図１１】
2010187784.tif 000013
【図１２】
2010187784.tif 000014
【図１３】
2010187784.tif 000015
【図１４】
2010187784.tif 000016
【図１５】
2010187784.tif 000017
【図１６】
2010187784.tif 000018